(57)【要約】【課題】      開口部の周縁を湾曲状に成形したカバ−体で覆った釣り用バケツを提供すること。【解決手段】  容器体１の開口部１ａの周縁はフレ−ム５が設けられ、フレ−ム５で膨らんで容器内外に突出した縁取り部１ｄが形成され、縁取り部１ｄの内側は、重錘６がある位置ではフレ−ム５と縁取り部１ｄの間に重錘６があるが、他の位置では間隙αが設けられ、縁取り部１ｄの外側にカバ−体２が嵌合されてカバ−体２は金型で例えば容器体１と同材料で柔軟性を有する非透湿性の合成樹脂シ−トが断面Ｕ字形に内側から外側へ湾曲状に成形されて容器体１に縫着で止着され、カバ−体２が成形される合成樹脂シ−トの厚さは、容器体１が形成される合成樹脂シ−トの厚さの３倍程度厚い合成樹脂シ−トが使用されている。【選択図】        図４
2005204551.tif 000002
【特許請求の範囲】
【請求項１】
合成樹脂のシ−トで形成された釣り用バケツにおいて、容器体の開口部を、前記容器体を形成するシ−トより厚い厚みを有し、前記開口部の内側から外側へ湾曲状に成形したカバ−体で覆ったことを特徴とする釣り用バケツ。
【請求項２】
容器体は、開口部に沿ってフレ−ムを有し、前記湾曲状に成形したカバ−体はフレ−ムの外径より大きな内径を有し、前記フレ−ムを覆っていることを特徴とする請求項１記載の釣り用バケツ。
【発明の詳細な説明】
【技術分野】
【０００１】
本発明は、容器体の開口部を、カバ−体で覆った釣り用バケツの改良に関する。
【背景技術】
【０００２】
従来の釣り用バケツは、折り畳みができるように柔軟性を有する合成樹脂のシ−トで形成された容器を有し、ハンドルやロ−プ等が取り付けられ撒き餌や魚入れとして使用する他、水汲み用バケツとして使用されていた。
これらの釣り用バケツが水汲み用に使用されると、水の入った容器を崖や防波堤の壁面に沿って引きずり上げるため容器開口が壁面に当たったまま引きずり上げなければならないことがしばしばあった。
従来酢酸ビニ−ル樹脂性シ−トで生き餌用容器を形成したバケツとして特許文献１が知られている。
特許文献１には、開口部を容器を形成するシ−トと同じシ−トで補強した釣り用バケツが紹介されているが、容器の開口が壁面に当たったまま引きずり上げると開口部のシ−ト材が弱く破損しやすい。
しかも、補強シ−トは開口部に沿って折り返されて取り付けられているため、補強シ−トが破損して孔があくと、その周縁が立ち上がりやすく、立ち上がり片に釣り糸の引っかかりが生じたり、魚を収納するときに傷を付け易い。
【特許文献１】特許第３２９７０３０号公報
【発明の開示】
【発明が解決しようとする課題】
【０００３】
解決しようとする問題点は、開口部に沿って補強シ−トが折り返されて取り付けられていると、補強シ−トが破損して孔があくと、その周縁が立ち上がりやすく、立ち上がり片に釣り糸の引っかかりが生じたり、魚を収納するときに傷を付け易いことである。
【０００４】
本発明の目的は前記欠点に鑑み、開口部の周縁を湾曲状に成形したカバ−体で覆った釣り用バケツを提供することである。
【課題を解決するための手段】
【０００５】
本発明の請求項１は、合成樹脂のシ−トで形成された釣り用バケツにおいて、容器体の開口部を、前記容器体を形成するシ−トより厚い厚みを有し、前記開口部の内側から外側へ湾曲状に成形したカバ−体で覆ったことを要旨とするものである。
本発明の請求項２は、容器体は、開口部に沿ってフレ−ムを有し、前記湾曲状に成形したカバ−体はフレ−ムの外径より大きな内径を有し、前記フレ−ムを覆っていることを要旨とするものである。
【発明の効果】
【０００６】
請求項１の本発明により、水が汲み上げられるときカバ−体２が崖や防波堤の壁面に沿って引きずり上げられても、開口部が容器体１を形成する合成樹脂シ−トより厚い厚みを有するカバ−体２で覆われているため破損し難い。
しかも、カバ−体２は、開口部の内側から外側へ湾曲状に成形されているため、破損して孔があいてもその周縁の立ち上がりが防止され、釣り糸が引っかかりが生じたり、魚を収納する時に傷を付けることが防止できる。
請求項２の本発明により、カバ−体２はフレ−ム５との間に間隙αを有するようにフレ−ム５を覆っているため、容器の開口が崖や防波堤の壁面に当たってもカバ−体２が動いてより破損が防止される。
【発明を実施するための最良の形態】
【０００７】
容器体１と、容器体１の開口部１ａの周縁に固定されたカバ−体２と、カバ−体２の両側部に固定された支持部３、３と、支持部３、３に取り付けられた下げ紐４で形成されている。
容器体１の開口部１ａの周縁はフレ−ム５が設けられ、フレ−ム５で膨らんで周辺部１ｂの厚みに対し、容器内外に突出した縁取り部１ｄが形成されている。
縁取り部１ｄの内側は、一部とフレ−ム５と縁取り部１ｄの間に重錘６があるが、他の位置では間隙αが設けられている。
カバ−体２は金型で例えば容器体１と同材料で柔軟性を有する非透湿性の合成樹脂シ−トが断面Ｕ字形に内側から外側へ湾曲状に癖付けされた状態に成形されて容器体１の縁取り部１ｄの外側に嵌合されて縫着で止着されている。
カバ−体２が成形される合成樹脂シ−トの厚さは、容器体１が形成される合成樹脂シ−トの厚さの３倍程度厚い合成樹脂シ−トが使用されている。
【実施例１】
【０００８】
以下、本発明の実施例を図面に基づき説明すると、図１から図５は第１実施例で、図１は釣り用バケツの斜視図、図２は釣り用バケツが折り畳まれた斜視図、図３は釣り用バケツの断面側面図、図４は釣り用バケツの要部拡大断面側面図、図５はカバ−体が容器体に取り付けられる前の要部分解断面側面図である。
【０００９】
釣り用バケツは、容器体１と、容器体１の開口部１ａの周縁に取り付けられたカバ−体２と、開口部１ａの対向位置にてカバ−体２に取り付けられた支持部３、３と、支持部３、３に取り付けられた下げ紐４で形成されている。
容器体１は、例えばエチレン酢酸ビニ−ル、ポリエチレン、ポリ塩化ビニ−ル等の柔軟性を有する非透湿性の合成樹脂シ−トにて形成し、これらシ−トの端部を溶着して周辺部１ｂと底部１ｃと上方に開口部１ａを有するように例えば四角形（丸形でもよい）に形成されている。
容器体１には開口部１ａに沿って硬質（金属や合成樹脂）のフレ−ム５が設けられ、四角形のフレ−ム５の一辺の外側に重錘６が嵌合されると共に、周辺部１ｂを形成する合成樹脂シ−トは、重錘６の外側と一辺以外のフレ−ム５の外側を内側から外側にフレ−ム５で折り返され、端部が開口部１ａの外側の容器壁に止着（縫着、溶着等）されている。
【００１０】
容器体１の開口部１ａの周縁はフレ−ム５で膨らんで周辺部１ｂの厚みに対し、容器内外に突出した縁取り部１ｄが形成されている。
縁取り部１ｄの内側は、重錘６を設けた位置ではフレ−ム５と縁取り部１ｄの間に重錘６があるが、他の位置では間隙αが設けられている。
容器体１は柔軟性を有する合成樹脂シ−トを用いて折り畳みができるように形成したが、周辺部１ｂには斜め方向に折り畳み用の折り線１ｅが設けられて、より折り畳みが容易にできるようになっている。
【００１１】
カバ−体２は金型で例えばエチレン酢酸ビニ−ル、ポリエチレン、ポリ塩化ビニ−ル等の柔軟性を有する非透湿性の合成樹脂シ−トが断面Ｕ字形に内側から外側へ沿って湾曲状に癖付けされた状態に成形されて容器体１の縁取り部１ｄの外側に嵌合されて縫着で止着されている。
カバ−体２の外側の縫着位置は、縫着の糸が突出しないように凹部２ａに形成されている。
凹部２ａの中に縫着糸が入っていると擦り切れることがない。
カバ−体２が成形される合成樹脂シ−トの厚さは、容器体１が形成される合成樹脂シ−トの厚さの３倍程度厚い合成樹脂シ−トが使用されている。
カバ−体２の内径はＲでフレ−ム５の外径はｒである。
【００１２】
容器体１を折り畳むときは、周辺部１ｂを押しつぶして底部１ｃを下方から開口部１ａに重合し、開口部１ａを容器内側から上方へ反転させながら開口部１ａ内に底部１ｃを嵌合する。
この時、底部１ｃは開口部１ａと同じ程度の大きさで、底部１ｃを手でわずかに変形させながら開口部１ａに向けて押圧すると、底部１ｃの縁部１ｆは開口端の縁取り部１ｄに係合され、さらに、底部１ｃは手を放しても開口部１ａから脱落しない様になっている。
【００１３】
釣り用バケツが水汲みに使用されるときは、下げ紐４に吊り下げ用のロ−プ７が取り付けられて吊り下げられる。
釣り用バケツが吊り下げられると、重錘６が内装された側が下側に容器体１が傾けられて水の中に落とされる。
水が汲み上げられるときカバ−体２が崖や防波堤の壁面に沿って引きずり上げられる。
【００１４】
前記のように釣り用バケツが構成されると、水が汲み上げられるときカバ−体２が崖や防波堤の壁面に沿って引きずり上げられても、開口部が容器体１を形成する合成樹脂シ−トより厚い厚みを有するカバ−体２で覆われているため破損し難い。
しかも、カバ−体２は、開口部の内側から外側へ湾曲状に癖付けされて成形されているため、破損して孔があいてもその周縁の立ち上がりが防止され、釣り糸が引っかかりが生じたり、魚を収納する時に傷を付けることが防止できる。
カバ−体２はフレ−ム５との間に間隙αを有するようにフレ−ム５を覆っているため、容器の開口が崖や防波堤の壁面に当たっても間隙αによってカバ−体２が動いて衝撃を吸収するためより破損が防止される。
支持部３、３は、下げ紐４の他にハンドル等の下げ具を支持するが、この支持部３、３がカバ−体２に止着されているため、容器体１を形成する合成樹脂シ−トに止着した場合に比べて破損しにくい。
【実施例２】
【００１５】
図６は第２実施例で、図６は釣り用バケツの要部拡大断面側面図である。
【００１６】
第２実施例では、容器体１の周辺部１ｂの上端がフレ−ム５を包み込まず、周辺部１ｂの上端にカバ−体２が縫着で止着されている。
従ってカバ−体２の内側に重錘６とフレ−ム５がある箇所と、間隙αとフレ−ム５がある箇所ができる。
他の構成は前記第１実施例と略同一である。
【産業上の利用可能性】
【００１７】
本発明は釣り用バケツ全般に利用できる。
【図面の簡単な説明】
【００１８】
【図１】第１実施例で、釣り用バケツの斜視図である。
【図２】同釣り用バケツが折り畳まれた斜視図である。
【図３】同釣り用バケツの断面側面図である。
【図４】同釣り用バケツの要部拡大断面側面図である。
【図５】同カバ−体が容器体に取り付けられる前の要部分解断面側面図である。
【図６】第２実施例で、釣り用バケツの要部拡大断面側面図である。
【符号の説明】
【００１９】
１  容器体
１ａ  開口部
２  カバ−体
５  フレ−ム
α  間隙
【図１】
2005204551.tif 000003
【図２】
2005204551.tif 000004
【図３】
2005204551.tif 000005
【図４】
2005204551.tif 000006
【図５】
2005204551.tif 000007
【図６】
2005204551.tif 000008